(57)【特許請求の範囲】
【請求項１】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を中間周波処理回路に出力する合成手段と、
合成された信号の受信品質を測定し、測定された受信品質が予め決められた値よりも低い場合は、前記第１のアンテナで受信される信号のみを前記中間周波処理回路に出力する制御手段と
を具備することを特徴とする移動局。
【請求項２】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を中間周波処理回路に出力する合成手段と、
合成された信号の受信品質を測定し、測定された受信品質が予め決められた値よりも低い場合は、前記第２のアンテナに接続される部品への電源供給を断つことで前記第１のアンテナで受信される信号のみを前記中間周波処理回路に出力する制御手段と
を具備することを特徴とする移動局。
【請求項３】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を中間周波処理回路に出力する合成手段と、
合成された信号の受信品質を測定し、測定された受信品質が予め決められた値よりも低い場合は、前記第１のアンテナに接続される増幅器の出力を上げるとともに、前記第２のアンテナに接続される部品への電源供給を断つことで前記第１のアンテナで受信される信号のみを前記中間周波処理回路に出力する制御手段と
を具備することを特徴とする移動局。
【請求項４】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を中間周波処理回路に出力する合成手段と、
合成された信号の受信品質を測定し、測定された受信品質が予め決められた値よりも低い場合は、前記第２のアンテナからの信号経路を遮断することで前記第１のアンテナで受信される信号のみを前記中間周波処理回路に出力する制御手段と
を具備することを特徴とする移動局。
【請求項５】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を処理回路に出力する合成手段と、
合成された信号の受信品質を測定し、測定された受信品質が予め決められた値よりも低い場合は、前記第２のアンテナに接続される部品への電源供給を断つ制御手段と
を具備することを特徴とする移動局。
【請求項６】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を処理回路に出力する合成手段と、
合成された信号の受信品質を測定し、測定された受信品質が予め決められた値よりも低い場合は、前記第１のアンテナに接続される増幅器の出力を上げるとともに、前記第２のアンテナに接続される部品への電源供給を断つ制御手段と
を具備することを特徴とする移動局。
【請求項７】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を処理回路に出力する合成手段と、
合成された信号の受信品質を測定し、測定された受信品質が予め決められた値よりも低い場合は、前記第２のアンテナから前記処理回路への信号経路を遮断する制御手段と
を具備することを特徴とする移動局。
【請求項８】
基地局と無線回線を介して接続される移動局であって、
前記基地局からの信号を受信する移動局の筐体に実装される第１のアンテナと、
前記基地局からの信号を受信する移動局の筐体に実装され、前記第１のアンテナよりも利得の低い第２のアンテナと、
前記第１のアンテナで受信する信号と前記第２のアンテナで受信する信号とを合成して、合成された信号を中間周波処理回路に出力する合成手段と、
前記第１のアンテナで受信する信号の出力先を前記中間周波処理回路と前記合成手段のいずれかに切り換える第１の切換手段と、
前記第２のアンテナで受信する信号の出力先を前記合成手段とオープンのいずれかに切り換える第２の切換手段と、
合成された信号の受信品質を測定し、測定された受信品質が予め決められた値よりも低い場合は、前記第１の切換手段により前記第１のアンテナで受信する信号の出力先を前記中間周波処理回路に切り換え、前記第２の切換手段により前記第２のアンテナで受信する信号の出力先をオープンに切り換え、前記第１のアンテナで受信される信号のみを前記中間周波処理回路に出力する制御手段と
を具備することを特徴とする移動局。
【発明の詳細な説明】
【０００１】
【発明の属する技術分野】
本発明は、基地局と無線回線を介して接続されるＣＤＭＡ移動局であって、受信品質を向上するＣＤＭＡ移動局に関する。
【０００２】
【従来の技術】
移動通信システムの１つであるＣＤＭＡシステムにおいては、移動局から見て、接続される基地局が使用している周波数は、これ以外の基地局にも使用されることにより共用される。共用される周波数を用いて送信されるそれぞれの基地局からの信号は、基地局ごとに割り当てられる拡散符号の違いで分離される。
【０００３】
したがって、移動局から見ると周りの基地局からの同じ周波数で送信される信号は合成された形となる。その合成波は、移動局から見ると、所望波に対して干渉波となる。
【０００４】
特に、移動局が接続される基地局からの信号が変動して低下したときには、合成波、すなわち干渉波のレベルが大きくなる。その結果、対干渉波比が悪くなって受信品質に悪影響を及ぼすことになっていた。
【０００５】
そのため、ＣＤＭＡシステムの移動局では、ダイバーシチ方式が検討されている。これにより、所望波の受信レベルを少しでも良い状態にすることにより、対干渉波比を上げることを検討している。
【０００６】
しかしながら移動局、特に小型の携帯型の端末では、ダイバーシチアンテナのうち、一方のアンテナを引き出しアンテナとした場合、端末の外観、収納のしやすさから他方のアンテナは内蔵アンテナにすることが一般的である。
【０００７】
ところで、ダイバーシチ方式のうち、合成ダイバーシチでは、基地局がカバーするエリアの境界に位置するような受信レベルが極めて低い場合に、利得の低い方の内蔵アンテナ（引き出し式に比べて１０ｄＢほど低い）で受信した信号の雑音が、もう一方のアンテナで受信される信号に加算される結果、受信機の雑音指数を劣化させ、受信品質が、引き出しアンテナのみで受信した場合に比べて悪くなる。
【０００８】
【発明が解決しようとする課題】
上述のごとく、ＣＤＭＡシステムにおける移動局において、ダイバーシチ受信を行なう際には、絶えず合成ダイバーシチ制御を行なうと、受信品質が、１本のアンテナのみで受信する場合よりも悪くなるという問題もあった。
【０００９】
本発明は、このような要望を実現するために、ＣＤＭＡシステムの移動局においてダイバーシチ制御を行なうにあたり、基地局のカバーするエリア付近のような受信品質の悪いところでも、受信品質を確保することが可能な移動局を提供することを目的とする。
【００１０】
【課題を解決するための手段】
本願請求項１記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を中間周波処理回路に出力する合成手段と、合成された信号の受信品質を測定し、測定された受信品質が予め決められた値よりも低い場合は、前記第１のアンテナで受信される信号のみを前記中間周波処理回路に出力する制御手段とを具備して構成される。
本願請求項２記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を中間周波処理回路に出力する合成手段と、合成された信号の受信品質を測定し、測定された受信品質が予め決められた値よりも低い場合は、前記第２のアンテナに接続される部品への電源供給を断つことで前記第１のアンテナで受信される信号のみを前記中間周波処理回路に出力する制御手段とを具備して構成される。
本願請求項３記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を中間周波処理回路に出力する合成手段と、合成された信号の受信品質を測定し、測定された受信品質が予め決められた値よりも低い場合は、前記第１のアンテナに接続される増幅器の出力を上げるとともに、前記第２のアンテナに接続される部品への電源供給を断つことで前記第１のアンテナで受信される信号のみを前記中間周波処理回路に出力する制御手段とを具備して構成される。
本願請求項４記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を中間周波処理回路に出力する合成手段と、合成された信号の受信品質を測定し、測定された受信品質が予め決められた値よりも低い場合は、前記第２のアンテナからの信号経路を遮断することで前記第１のアンテナで受信される信号のみを前記中間周波処理回路に出力する制御手段とを具備して構成される。
本願請求項５記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を処理回路に出力する合成手段と、合成された信号の受信品質を測定し、測定された受信品質が予め決められた値よりも低い場合は、前記第２のアンテナに接続される部品への電源供給を断つ制御手段とを具備して構成される。
本願請求項６記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を処理回路に出力する合成手段と、合成された信号の受信品質を測定し、測定された受信品質が予め決められた値よりも低い場合は、前記第１のアンテナに接続される増幅器の出力を上げるとともに、前記第２のアンテナに接続される部品への電源供給を断つ制御手段とを具備して構成される。
本願請求項７記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を処理回路に出力する合成手段と、合成された信号の受信品質を測定し、測定された受信品質が予め決められた値よりも低い場合は、前記第２のアンテナから前記処理回路への信号経路を遮断する制御手段とを具備して構成される。
本願請求項８記載の移動局は、基地局と無線回線を介して接続される移動局であって、前記基地局からの信号を受信する移動局の筐体に実装される第１のアンテナと、前記基地局からの信号を受信する移動局の筐体に実装され、前記第１のアンテナよりも利得の低い第２のアンテナと、前記第１のアンテナで受信する信号と前記第２のアンテナで受信する信号とを合成して、合成された信号を中間周波処理回路に出力する合成手段と、前記第１のアンテナで受信する信号の出力先を前記中間周波処理回路と前記合成手段のいずれかに切り換える第１の切換手段と、前記第２のアンテナで受信する信号の出力先を前記合成手段とオープンのいずれかに切り換える第２の切換手段と、合成された信号の受信品質を測定し、測定された受信品質が予め決められた値よりも低い場合は、前記第１の切換手段により前記第１のアンテナで受信する信号の出力先を前記中間周波処理回路に切り換え、前記第２の切換手段により前記第２のアンテナで受信する信号の出力先をオープンに切り換え、前記第１のアンテナで受信される信号のみを前記中間周波処理回路に出力する制御手段とを具備して構成される。  
【００１１】
【発明の実施の形態】
（第１の実施の形態）
本発明の一実施例を図面を用いて説明する。図１は、本発明にかかる移動局の送信部、受信部のうち、高周波部と中間周波部とをあらわした図である。
【００１２】
送信部は、本発明に直接関係しないので、送信部１０としてあらわされており、ローカル信号に基づき、送信用の高周波信号に変換されて、変換された高周波信号はパワーアンプ１２で増幅され、増幅された高周波信号は共用器１４に入力され、アンテナ１６を通して送信される。
【００１３】
一方、受信系では、アンテナ１６に接続される第１の受信系とアンテナ２６に接続される第２の受信系とが設けられる。アンテナ１６は移動局の筐体の外に突出されるアンテナであり、第２のアンテナは筐体内部に実装される内蔵アンテナである。
【００１４】
第１の受信系について説明すると、共用器１４では、アンテナ１６で受信される信号のうち、所望の受信周波数帯域の信号のみを取り出す。共用器１４の出力はＬＮＡ１８に接続され増幅される。ＬＮＡ１８の出力のうち、不要な周波数帯域の成分をとりのぞくために、バンドパスフィルタ２０が接続される。バンドパスフィルタ２０の出力は、ミキサ４０に与えられる。ミキサ２２にはローカル信号が与えられる結果、高周波から中間周波（ＩＦ）の信号に変換される。ミキサ２２の出力のうち、不要な周波数帯域の成分をとりのぞくために、バンドパスフィルタ２４が設けられる。
【００１５】
第２の受信系に関しては、アンテナ２６で受信される信号のうち、所望の周波数帯域の信号のみを取り出すべく、バンドパスフィルタ２８が設けられる。バンドパスフィルタ２８の出力はＬＮＡ３０に接続され、増幅される。その出力のうち、不要な周波数帯域の成分をとりのぞくために、バンドパスフィルタ３２が設けられている。
【００１６】
バンドパスフィルタ３２の出力は、ミキサ３４に与えられ、ローカル信号とかけ合わされる結果、高周波から中間周波の信号にダウンコンバートされる。中間周波に変換された信号は、バンドパスフィルタ３６にて不要周波数成分が除去される。
【００１７】
バンドパスフィルタ３６の出力は、第１の受信系での受信信号の到達時間に比べて所定時間以上（拡散符号の単位チップ時間よりも長い時間で、逆拡散が可能な時間）遅れるようにするために、遅延器３８が接続されている。遅延器３８の出力は合成器４０に入力される。合成器４０では、第１の受信系、第２の受信系それぞれのＩＦ信号を合成して、その結果を受信ＩＦ回路４２に出力する。受信ＩＦ回路以降の音声再生処理は、ここでは発明に関係ないので省略する。
【００１８】
受信ＩＦ回路４２では、受信ＩＦ信号の電界強度ＲＳＳＩを検出して、この情報をＣＰＵ４４に与える。
【００１９】
ＣＤＭＡシステムにおける移動局では、基地局からの受信信号のレベルを基地局に報告し、基地局はこれにもとづいて、移動局に対し、適正な送信出力レベルになるよう指示を与える。すなわち、移動局が基地局に近いと、基地局により推定される場合は、ＬＮＡ１８の出力を下げるように、基地局が移動局に指示する。一方、移動局が基地局から遠いと基地局により推定される場合は、ＬＮＡ１８の出力を上げるように制御する。
【００２０】
本発明は、ＣＰＵがＬＮＡ１８の出力を上げる指示を出す際は、ＬＮＡ１８の出力をあるしきい値以上に上げる場合は、基地局のカバーするエリアのフリンジエリアに移動局が位置していると考えて、このときの指示と同時に第２の受信系の能動部品の電源供給を断にする制御を行なっている。
【００２１】
具体的には、図２に示すように、第１、第２のアンテナで受信した信号のＩＦ信号のそれぞれを合成し（１０２）、合成されたＩＦ信号のＲＳＳＩを測定し（１０４）、測定結果がしきい値よりも小さくなった場合には、第１のＬＮＡ１８の出力を上げて（１０６，１０８）第２のＬＮＡ３０、第２のミキサ３４への電源供給を断にする（１１０）。一方、１０６での測定されたＲＳＳＩがしきい値よりも高い場合は、１０４に戻って信号の合成を継続する。
【００２２】
こうすることで、第２の受信系には電源が供給されない結果、第２の受信系の信号経路を遮断することで、第１のアンテナよりも受信利得の悪い内蔵アンテナによる受信信号を合成した場合に比べて受信品質を確保することができる。
【００２３】
（第２の実施形態）
なお、受信ＩＦ信号があるしきい値を下回ったときに、第２の受信系への電源供給を中断するという例を説明したが、これに限定されずに、例えば図３のように、第２の受信系の信号経路をスイッチを使って遮断するようにしても良い。
【００２４】
そのために、第１の受信系にスイッチ５０を設けたこと、また第２の受信系にスイッチ６０を設けたことである。そして、受信ＩＦ回路４２からのＲＳＳＩ情報にもとづき、ＲＳＳＩがあるしきい値を下回ったと判断したら、スイッチ５０に指示信号を与えることにより、第１の受信系のＩＦ信号を合成器４０に入力させずに、受信ＩＦ回路４２に直接入力させる。
【００２５】
このときに、スイッチ６０にも指示信号を与えることにより、第２の受信系の信号を合成器４０に与えないように制御する。
【００２６】
【発明の効果】
以上説明したように、ＣＤＭＡシステムの移動局においてダイバーシチ制御を行なうにあたり、基地局のカバーするエリア付近のように受信される信号の合成成分の品質の悪い場合では、ダイバーシチを行なわないようにすることで、第２のアンテナで受信される品質の悪い信号が合成されることを禁止させることで、第１のアンテナによって受信される信号のみとして、合成されることでかえって受信品質を悪くしてしまうといった不具合を解消することができる。
【図面の簡単な説明】
【図１】本発明の第１の実施形態の移動局の構成を示すブロック図
【図２】本発明の第１の実施形態の制御を説明するフローチャート図
【図３】本発明の第２の実施形態実施の移動局の構成を示すブロック図
【符号の説明】
１８、３０・・・ＬＮＡ
４４・・・制御部
５０，６０・・・スイッチ
【図１】
0004309536.tif 000002
【図２】
0004309536.tif 000003
【図３】
0004309536.tif 000004